(57)【特許請求の範囲】
【請求項１】
半導体能動素子が形成されたアクティブマトリクス基板と対向電極が形成された対向基板との間に液晶層を挟持してなる液晶パネルに、対向基板側から光を照射して、液晶パネルに表示された映像を投射レンズを用いて投射表示する投射型液晶表示装置であって、
上記アクティブマトリクス基板の厚みが、厚みｄｍｍ、液晶パネルにおける絵素開口部面積をａμｍ2としたとき、ｄ＞−０．００１６ａ＋１．２６の式を満たすように設計されており、
上記対向基板の厚みが、厚みｄｍｍ、液晶パネルにおける絵素開口部面積をａμｍ2としたとき、ｄ＞−０．００１６ａ＋１．２６の式を満たすように設計され、
上記液晶パネルには、入射光がアクティブマトリクス基板の半導体能動素子に直接当たらないように半導体能動素子を遮光する遮光パターンが形成されると共に、上記液晶パネルの光出射側に空気層を隔てて光出射側偏光素子が配され、かつ、上記アクティブマトリクス基板の光出射面、及び上記光出射側偏光素子の光入出射両面に、減反射コーティングからなる反射防止部が形成されていることを特徴とする投射型液晶表示装置。
【請求項２】
上記液晶パネルにおけるアクティブマトリクス基板に設けられた半導体能動素子が、トップゲート構造の多結晶シリコン薄膜トランジスタであることを特徴とする請求項１に記載の投射型液晶表示装置。
【発明の詳細な説明】
【０００１】
【発明の属する技術分野】
本発明は、液晶パネルから出力された映像信号を、スクリーン等の大画面に拡大表示する投射型液晶表示装置に関するものである。
【０００２】
【従来の技術】
従来の投射型液晶表示装置は、例えば図２６、或いは図２７に示すような構成を有している。これらにおいて、光源７１から出射された光は、ＵＶ／ＩＲカットフィルタ５１を介して映像出力部５２（或いは映像出力部５２'）に入射し、映像出力部５２（或いは映像出力部５２'）から出射した映像信号が、投射レンズ５３に入射し、図示しないスクリーンに投射表示される。
【０００３】
上記映像出力部５２・５２'は、何れも液晶パネル５４と、この光入射側及び光出射側にそれぞれ配された光入射側及び光出射側偏光素子５５ａ・５５ｂとからなる。このうち、映像出力部５２では、光出射側偏光素子５５ｂが液晶パネル５４と空気層を隔てて配され、映像出力部５２'では、空気層を介さず液晶パネル５４の光出射面に貼着されている。一方、上記映像出力部５２・５２'共に、光入射側偏光素子５５ａは、光入射側偏光素子５５ａによる光吸収により液晶パネル５４の温度が上昇するのを避けるため、空気層を隔てて配されている。
【０００４】
図２８に、上記映像出力部５２・５２'における液晶パネル５４の要部断面図を示し、図２９に、液晶パネル５４の光出射側表面に光出射側偏光素子５５ｂが粘着材６０を介して貼着された、映像出力部５２'の液晶パネル部５９の要部断面図を示す。
【０００５】
液晶パネル５４は、各々対向配置された光入射側に配される対向基板５４ａと、光出射側に配されるアクティブマトリクス基板５４ｂとからなり、基板間に液晶層５６が挟持されている。アクティブマトリクス基板５４ｂの対向面には、各々表示画素に対応する半導体能動素子５８が形成されると共に、他方の対向基板５４ａの対向面には、図示しない対向電極と共に、上記半導体能動素子５８を遮光する遮光パターン５７が形成されている。このように対向基板５４ａ側を光入射側に配し、かつ、遮光パターン５７を形成するのは、アクティブマトリクス基板５４ｂに形成されている半導体能動素子５８に光が当たると、ＯＦＦ特性の低下が生じて、コントラストの低下が生じるためである。尚、このような遮光パターン５７は、アクティブマトリクス基板５４ｂ側に、半導体能動素子５８を覆うように形成されることもある。
【０００６】
【発明が解決しようとする課題】
ところが、図２６に示す映像出力部５２の場合、液晶パネル５４におけるアクティブマトリクス基板５４ｂと光出射側偏光素子５５ｂとの間に空気層が介在するため、アクティブマトリクス基板５４ｂの光出射面（アクティブマトリクス基板５４ａと空気層との境界面）での内部反射や、光出射側偏光素子５５ｂにおける光入射面（空気層と光出射側偏光素子５５ｂとの境界面）での外部反射、及び光出射側偏光素子５５ｂにおける光出射面（光出射側偏光素子５５ｂと空気層との境界面）での内部反射によって、反射光が発生する。
【０００７】
このような反射光がアクティブマトリクス基板５４ａの半導体能動素子５８に当たると、半導体能動素子５８にＯＦＦ特性の低下が生じ、これを原因としてクロストークが発生したり、コントラスト低下が生じたりし、その結果、画質が低下して良好な画像が得られないといった問題が生じる。
【０００８】
また、図２７に示す映像出力部５２'の場合は、液晶パネル５４に光出射側偏光素子５５ｂが貼着された液晶パネル部５９であるので、光出射側偏光素子５５ｂにおける光出射面（光出射側偏光素子５５ｂと空気層との境界面）での内部反射が生じるのみで、アクティブマトリクス基板５４ｂにおける光出射面での内部反射や、光出射側偏光素子５５ｂにおける光入射面での外部反射は生じない。しかしながら、特に、液晶パネル５４として、表示絵素電極の微細な小型高精細の液晶パネルを用いた投射型液晶表示装置では、対向電極による遮光パターンが小さくなり、遮光効果が不十分となるので、たとえ光出射側偏光素子５５ｂにおける光出射面での内部反射で生じた反射光のみでも、半導体能動素子５８にＯＦＦ特性の低下が生じ、クロストークの発生や、コントラスト低下による画質の低下が招来されている。
【０００９】
加えて、図２６に示す映像出力部５２、又は図２７に示す映像出力部５２'の場合、液晶パネル５４におけるアクティブマトリクス基板５４ｂの光出射面、又は対向基板５４ａの光入射面のごみや傷、光出射側偏光素子５５ｂに形成されている傷や欠陥等の不良が、投射レンズ５３によりスクリーン等の上に結像されるため、これによっても画質の低下が招来されている。
【００１０】
尚、特開平４−１００００２号公報には、図３０及び図３１に示すように、液晶パネル７２の光入出射側にそれぞれ配された光入射側偏光素子５５ａ、及び光出射側偏光素子５５ｂの各素子表面にて外部反射や内部反射が生じ、反射ロスにて透過率が低下することを阻止するために、光入射側及び光出射側偏光素子５５ａ・５５ｂにおける光入射面に減反射コーティング６１を施した構成と、光入射側及び光出射側偏光素子５５ａ・５５ｂの光入射面及び光出射面の両面に減反射コーティング６１を施した構成とが開示されている。
【００１１】
また、特開平４−１０４２４４号公報には、液晶パネルの光入射側及び光出射側の各表面、光出射側偏光素子、及び光出射側偏光素子の各素子表面にて外部反射や内部反射が生じ、反射ロスにて透過率が低下することを阻止するために、減反射コーティングを施した光学素子に光入射側偏光素子或いは光出射側偏光素子となる偏光素子を貼り合わせたユニットを、液晶パネルの光入射側及び光出射側の各表面に貼り合わせた構成が開示されている。
【００１２】
また、特開平２−１９５３８１号公報には、液晶パネルの光入射側及び光出射側の各表面についたごみが投射レンズによってスクリーン等の上に結像することを防止するために、液晶パネルの光入射側及び光出射側の各表面にガラスブロックを貼着し、液晶パネルモジュール表面が投射レンズの焦点深度よりも外側にある液晶パネルモジュールの構成が開示されている。
【００１３】
【課題を解決するための手段】
本発明の投射型液晶表示装置は、上記の課題を解決するために、半導体能動素子が形成されたアクティブマトリクス基板と対向電極が形成された対向基板との間に液晶層を挟持してなる液晶パネルに、対向基板側から光を照射して、液晶パネルに表示された映像を投射レンズを用いて投射表示する投射型液晶表示装置であって、上記アクティブマトリクス基板の厚みが、厚みｄｍｍ、液晶パネルにおける絵素開口部面積をａμｍ2としたとき、ｄ＞−０．００１６ａ＋１．２６の式を満たすように設計されていることを特徴としている。
【００１４】
また、本発明の投射型液晶表示装置は、上記投射型液晶表示装置において、さらに、上記対向基板の厚みも、厚みｄｍｍ、液晶パネルにおける絵素開口部面積をａμｍ2としたとき、ｄ＞−０．００１６ａ＋１．２６の式を満たすように設計されていることを特徴としている。
【００１５】
また、本発明の投射型液晶表示装置は、上記投射型液晶表示装置において、さらに、上記液晶パネルには、入射光がアクティブマトリクス基板の半導体能動素子に直接当たらないように半導体能動素子を遮光する遮光パターンが形成されると共に、上記液晶パネルの光出射側に空気層を隔てて光出射側偏光素子が配され、かつ、上記アクティブマトリクス基板の光出射面、及び上記光出射側偏光素子の光入出射両面に、減反射コーティングからなる反射防止部が形成されていることを特徴としている。
【００１６】
また、本発明の投射型液晶表示装置は、上記投射型液晶表示装置において、さらに、前記液晶パネルにおけるアクティブマトリクス基板に設けられた半導体能動素子が、トップゲート構造の多結晶シリコン薄膜トランジスタであることを特徴としている。
【００１７】
以下、本発明の作用について説明する。
【００１８】
上記本発明の構成によれば、液晶パネルにおけるアクティブマトリクス基板の厚みが、厚みｄｍｍ、液晶パネルにおける絵素開口部面積をａμｍ2としたとき、ｄ＞−０．００１６ａ＋１．２６の式を満たすように設計され、アクティブマトリクス基板の光出射面が投射レンズの焦点深度以上、液晶パネルにおける表示絵素電極から離間されるので、アクティブマトリクス基板の光出射面についたごみや傷が投射レンズによってスクリーン等の上に結像することが防止される。
【００１９】
また、本発明の別の構成によれば、液晶パネルにおけるアクティブマトリクス基板だけでなく、対向基板の厚みについても、ｄ＞−０．００１６ａ＋１．２６の式を満たすように設計され、対向基板の光入射面が投射レンズの焦点深度以上、液晶パネルにおける表示絵素電極から離間されるので、上述した構成による作用に加えて、対向基板の光入射面についたごみや傷も投射レンズによってスクリーン等の上に結像することが防止され、さらに、画質の高い良好な画像を得ることが可能となる。
【００２０】
また、液晶パネルと空気層を隔てて光出射側偏光素子が配され、液晶パネルにおけるアクティブマトリクス基板の光出射面、及び液晶パネルの光出射側に空気層を隔てて配される光出射側偏光素子の光入出射両面に、減反射コーティングからなる反射防止部が形成されている構成では、これらの反射防止部にて、アクティブマトリクス基板の光出射面での内部反射、出射側偏光素子の光入射面での外部反射、及び出射側偏光素子の光出射面での内部反射が、確実に低減される。その結果、液晶パネルのアクティブマトリクス基板に設けられた半導体能動素子にＯＦＦ特性の低下が生じ難くなり、クロストークの発生や、コントラストの低下が抑制され、たとえ表示絵素電極の微細な小型高精細の液晶パネルを用いた場合でも、画質の高い良好な画像を得ることが可能となる。
【００２１】
また、光出射側偏光素子は、アクティブマトリクス基板の厚みを上記のように定めることで、アクティブマトリクス基板の光出射面よりもさらに光出射側に配された光出射側偏光素子における傷や欠陥等の不良が投射レンズによってスクリーン等の上に結像することが防止されるのはもちろんであり、より一層画質の高い良好な画像を得ることが可能となる。
【００２２】
また、本発明では、液晶パネルにおけるアクティブマトリクス基板に設けられた半導体能動素子が、トップゲート構造の多結晶シリコン薄膜トランジスタである構成とできる。トップゲート構造の多結晶シリコン薄膜トランジスタ半導体能動素子の場合、アクティブマトリクス基板の裏面から見て、チャネル層はゲート電極にて遮光されないので、ボトムゲート構造の多結晶シリコン薄膜トランジスタ半導体能動素子に比べて、アクティブマトリクス基板の光出射面での内部反射や、光出射側偏光素子の光入射面での外部反射、及び光出射側偏光素子の光出射面での内部反射によるＯＦＦ特性低下の影響を受け易かった。しかしながら、本発明の構成を採用し、反射光の発生をほぼ確実に抑えることで、たとえトップゲート構造の多結晶シリコン薄膜トランジスタ半導体能動素子を用いた場合も、画質の高い良好な画像を得ることが可能となる。
【００２３】
【発明の実施の形態】
（実施例１）
本発明の一実施例について図１ないし図６に基づいて説明すれば、以下の通りである。
【００２４】
本実施例に係る投射型液晶表示装置は、図２に示すように、光源１、ＵＶ／ＩＲカットフィルタ２、第１〜第４のダイクロイックミラー３・４・５・６、第１及び第２の反射ミラー７・８、及び赤・緑・青の各原色毎の信号で駆動している映像出力部１０・１１・１２を備えている。
【００２５】
上記構成において、光源１からＵＶ／ＩＲカットフィルタ２を介して出射された光は、まず第１のダイクロイックミラー３に入射し、反射光と透過光とに分離される。このうち、第１のダイクロイックミラー３を透過した透過光は、第２のダイクロイックミラー４に入射し、さらに反射光と透過光とに分離される。このように、第１及び第２のダイクロイックミラー３・４により、赤、緑、青の３原色に分離された光は、それぞれの色に対応する映像出力部１０・１１・１２に入射する。尚、映像出力部１０に入射する光は、第１の反射ミラー７にて反射された後入射する。
【００２６】
その後、これら映像出力部１０・１１・１２から出射した３原色の映像信号が、第３及び第４のダイクロイックミラー５・６、及び第２の反射ミラー８を介して合成され、投射レンズ９に入射し、図示しないスクリーンに投射表示される。
【００２７】
次に、上記構成の投射型液晶表示装置の各映像出力部１０・１１・１２の構成を説明する。尚、各映像出力部１０・１１・１２は、駆動信号が異なるだけで各々ほぼ同様の構成を有しているので、ここでは映像出力部１０の構成のみを説明し、映像出力部１１・１２の説明については省略するものとする。
【００２８】
映像出力部１０は、液晶パネル部１５と、この光入射側に空気層を隔てて配された光入射側偏光素子１３ａとからなる。
【００２９】
液晶パネル部１５は、図１に示すように、厚みが後述のように設定されている、対向基板１４ａとアクティブマトリクス基板１４ｂとを有し、基板間に液晶層１９を挟持してなる液晶パネル１４を備えている。
【００３０】
この液晶パネル１４は、対向基板１４ａが光入射側に、アクティブマトリクス基板１４ｂが光出射側になるように配され、上記液晶パネル１４におけるアクティブマトリクス基板１４ｂの光出射面には、アクティブマトリクス基板１４ｂ及び光出射側偏光素子１３ｂとほぼ同一の屈折率（約1.５）を有した粘着材２０を介して光出射側偏光素子１３ｂが密着されている。そして、この光出射側偏光素子１３ｂにおける空気層と接する光出射面には、反射防止部として減反射コーティング２１が施されている。
【００３１】
一方、上記液晶パネル１４におけるアクティブマトリクス基板１４ｂの対向基板１４ａとの対向面には、各々表示画素に対応する半導体能動素子１７が形成され、他方の対向基板１４ａにおける対向面には、図示しない対向電極と共に、上記半導体能動素子１７を遮光するための遮光パターン１８が形成されている。尚、この遮光パターン１８は、必ずしも対向基板１４ａ側に設ける必要はなく、図５に示すように、アクティブマトリクス基板１４ｂ側に半導体能動素子１７を覆う如く形成してもよい。
【００３２】
半導体能動素子１７は、トップゲート構造の多結晶シリコン薄膜トランジスタ半導体能動素子からなり、図３に示すように、アクティブマトリクス基板１４ｂの上に、チャネル層１７ａ、ゲート絶縁膜１７ｂ、ゲート電極１７ｃ、層間絶縁膜１７ｄが順に積層されると共に、それぞれ所定形状にパターニングされており、その上面に、ソース電極１７ｅ、及びドレイン電極１７ｆが形成されている。
【００３３】
次に、このような構成の映像出力部１０において、液晶パネル１４におけるアクティブマトリクス基板１４ｂの光出射面（アクティブマトリクス基板１４ｂと光出射側偏光素子１３ｂとの境界面）での内部反射、光出射側偏光素子１３ｂの光入射面（アクティブマトリクス基板１４ｂと光出射側偏光素子１３ｂとの境界面）での外部反射、及び光出射側偏光素子１３ｂの光出射面（光出射側偏光素子１３ｂと空気層との境界面）での内部反射をそれぞれ求め、前述の図２６に示した従来の映像出力部５２の場合と比較した結果を示す。
【００３４】
一般に、入射光の反射に関しては、屈折率の異なる物質の境界面で次式で示した反射が生じる。即ち、
反射率：Ｒ＝〔（ｎ１−ｎ２）2／（ｎ１＋ｎ２）2〕×１００ 〔％〕
ｎ１，ｎ２：物質の屈折率
従来のアクティブマトリクス基板５４ｂと光出射側偏光素子５５ｂとの間に空気層が介在していた構成の映像出力部５２の場合は、アクティブマトリクス基板（屈折率：約１．５）５４ｂと空気層（屈折率：約１．０）との差により、アクティブマトリクス基板５４ｂの光出射面で、４％程度の内部反射が生じ、空気層と光出射側偏光素子５５ｂ（屈折率：約１．５）との差により、光出射側偏光素子５５ｂの光入射面では、３％程度の外部反射が生じていた。
【００３５】
これに対し、本実施例の映像出力部１０の場合は、アクティブマトリクス基板１４ｂの光出射面には、アクティブマトリクス基板１４ｂとほぼ同じ屈折率を有する粘着材２０を介して光出射側偏光素子１３ｂが貼着されているので、アクティブマトリクス基板１４ｂの光出射面での内部反射は殆ど生じず、反射はほぼ０％となっており、また、光出射側偏光素子１３ｂの光入射面での外部反射も殆ど生じず、反射はほぼ０％となっている。
【００３６】
さらに、光出射側偏光素子１３ｂの光出射面での内部反射は、光出射側偏光素子１３ｂの光出射面に施された減反射コーティング２１により、ほぼ０％となっている。
【００３７】
このことから、アクティブマトリクス基板１４ｂの光出射面での内部反射、光出射側偏光素子１３ｂの光入射面での外部反射、及び光出射側偏光素子１３ｂの光出射面での内部反射がそれぞれ確実に低減されていることがわかる。
【００３８】
次に、上記液晶パネル１４における対向基板１４ａ及びアクティブマトリクス基板１４ｂにおける厚みの設定方法に付いて説明する。
【００３９】
液晶パネル１４の対向基板１４ａの光入射面にあるごみや傷、光出射側偏光素子１３ｂにある傷や欠陥等の不良が、投射レンズ９の焦点深度内に存在していると、これらの不良が投射レンズによてスクリーン等の上に結像されてしまい、色むらや輝度むらとなって画質を低下させる虞れがある。そこで、アクティブマトリクス基板１４ｂ・対向基板１４ａとしては、アクティブマトリクス基板１４ｂの光出射面と対向基板１４ａの光入射面とが、投射レンズ９の焦点深度よりも外側になるような厚みを有する基板が用いられている。アクティブマトリクス基板１４ｂの光出射面を投射レンズ９の焦点深度より外側とすることで、光出射側偏光素子１３ｂは必ず焦点深度外となる。
【００４０】
これにより、本実施例の投射型液晶表示装置では、対向基板１４ａの光入射面表面に着いているごみや傷、光出射側偏光素子１３ｂにある傷や欠陥等の不良が、投射レンズ９によってスクリーン等の上に結像することが防止され、これによって、さらなる画質の向上がもたらされている。
【００４１】
ここで、基板の厚みの設定を具体的に数値を挙げて説明すると、液晶パネルを投射する際に、投射レンズによってスクリーン等の上に結像して問題となる液晶パネルの対向基板の光入射面或いはアクティブマトリクス基板の光出射面（本実施例では、アクティブマトリクス基板１４ｂの光出射面には光出射側偏光素子１３ｂが貼着されているため、ごみや傷がつく虞れはない）にあるごみや傷と、光出射側偏光素子にある傷や欠陥等の大きさと、液晶パネルの絵素開口部面積とは相関関係にある。実験より図４の斜線部に示される範囲の厚みを有する基板を対向基板１４ａ、アクティブマトリクス基板１４ｂに用いれば、対向基板１４ａの光入射面及びアクティブマトリクス基板１４ｂの光出射面についたごみや傷、光出射側偏光素子１３ｂについた傷や欠陥等の不良が、投射レンズ９によってスクリーン等の上に結像されるのを防止できる。図４における斜線部の範囲は次式で表される。
【００４２】
ｄ＞−０．００１６ａ＋１．２６
ｄ：基板の厚み（単位：ｍｍ）
ａ：液晶パネルの絵素開口部面積（単位：μｍ2）
以上のように、本実施例の投射型液晶表示装置に配される映像出力部１０・１１・１２は、液晶パネル１４のアクティブマトリクス基板１４ｂと光出射側偏光素子１３ｂとが、アクティブマトリクス基板１４ｂ及び光出射側偏光素子１３ｂとほぼ同じ屈折率をもつ粘着材２０を介して密着されていると共に、光出射側偏光素子１３ｂの光出射面に、減反射コーティング２１が施された構成を有している。したがって、アクティブマトリクス基板１４ｂの光出射面での内部反射や、光出射側偏光素子１３ｂの光入射面での外部反射、及び光出射側偏光素子１３ｂの光出射面での内部反射がそれぞれ確実に低減される。その結果、液晶パネル１４のアクティブマトリクス基板１４ｂに設けられた半導体能動素子１７にＯＦＦ特性の低下が生じ難くなり、クロストークの発生や、コントラストの低下が抑制され、たとえ表示絵素電極の微細な小型高精細の液晶パネルを用いた場合でも、画質の高い良好な画像を得ることが可能となる。
【００４３】
そして、特に本実施例の液晶パネル１４のように、アクティブマトリクス基板１４ｂに形成されている半導体能動素子１７がトップゲート構造の多結晶シリコン薄膜トランジスタ半導体能動素子からなる場合、アクティブマトリクス基板１４ｂの裏面から見て、チャネル層１７ａはゲート電極１７ｃにて遮光されないので、半導体能動素子１７がボトムゲート構造の多結晶シリコン薄膜トランジスタ半導体能動素子からなる構成に比べて、アクティブマトリクス基板１４ｂの光出射面での内部反射や、光出射側偏光素子１３ｂの光入射面での外部反射、及び光出射側偏光素子１３ｂの光出射面での内部反射による半導体能動素子１７のＯＦＦ特性低下の影響を受け易いといった問題を有しているが、これにより、投射型液晶表示装置に、トップゲート構造の多結晶シリコン薄膜トランジスタ半導体能動素子を用いた場合も、画質の高い良好な画像を得ることが可能となる。
【００４４】
また、本実施例の投影型液晶表示装置では、液晶パネル部１５を構成する液晶パネル１４のアクティブマトリクス基板１４ａ及び対向基板１４ｂに、図４の斜線部に示される範囲の厚みを有するものを用いたので、対向基板１４ａの光入射面表面についているごみや傷、光出射側偏光素子１３ｂにある傷や欠陥等の不良が、投射レンズ９によってスクリーン等の上に結像することが防止され、さらに画質の高い良好な画像を得ることが可能となっている。そしてこの場合、はじめから基板の厚みを設定しているので、ガラスブロック等を別途用意して後から基板に貼り付けて、液晶パネルにおける光出射側表面及び光入射側表面を、投射レンズの焦点深度外にする構成に比べて、工程数が削減され、低コストに製造できる等の利点を有している。
【００４５】
尚、本実施例のように、液晶パネル部１５を構成する液晶パネル１４のアクティブマトリクス基板１４ａ及び対向基板１４ｂに、図４の斜線部に示される範囲の厚みを有するものを用いず、液晶パネル１４における対向基板１４ａの光入射面についたごみは清掃により取り除くことができるので、少なくとも清掃によりとり除くことはできない光出射側偏光素子１３ｂにある傷や欠陥等の不良が結像されないように、アクティブマトリクス基板１４ｂだけでも図４の斜線部に示される範囲の厚みを有するものを用いた構成として、従来に比べて充分効果的である。
【００４６】
また、本実施例では、光源からの光を３原色に分解し、３つの映像出力部１０・１１・１２に入射させる構成の投射型液晶表示装置としているが、これに限定されるものではなく、例えば図６に示すような投射型液晶表示装置にももちろん、上記した構成の映像出力部を採用することができる。
【００４７】
（実施例２）
本発明の他の実施例を図７ないし図１０に基づいて説明すれば、以下の通りである。尚、説明の便宜上、前記の実施例と同一の機能を有する部材には同一の符号を付記し、その説明を省略する。
【００４８】
本実施例に係る投射型液晶表示装置は、図７に示すように、前記の実施例１の投射型液晶表示装置において配されていた映像出力部１０・１１・１２に換えて、映像出力部２４・２５・２６が各々配されている。
【００４９】
尚、上記の各映像出力部２４・２５・２６においても、前記の実施例１と同様に、駆動信号が異なるだけで各々ほぼ同様の構成を有しているので、ここでも映像出力部２４の構成のみを説明する。
【００５０】
映像出力部２４は、前記の実施例１の映像出力部１０における液晶パネル部１５に換えて、液晶パネル部２３を備えている。
【００５１】
上記液晶パネル部２３は、図８に示すように、前記の液晶パネル部１５では、光出射側偏光素子１３ｂの光出射面に、反射防止部として減反射コーティング２１が施されていたのに対し、粘着材２０を介して１／２波長板２７が貼着されている。
【００５２】
このような液晶パネル部２３を備えた映像出力部２４の構成でも、前記の実施例１と同様に光出射側偏光素子１３ｂの光出射面での内部反射を、確実に低減できる。その結果、前記の実施例１と同様の効果を得ることができる。
【００５３】
そしてさらに、図９に示すように、１／２波長板２７における空気層と接する光出射面に、減反射コーティング２１を施すことにより、１／２波長板２７の光出射面（１／２波長板２７と空気層との境界面）での内部反射をも低減できる。
【００５４】
尚、この場合、減反射コーティング２１を１／２波長板２７に直接施す代わりに、減反射コーティング２１を施した透明な非偏光性物質からなる透明板を貼着してもよい。このように１／２波長板２７の光出射面に減反射コーティング２１を施すことで、反射によるクロストークの発生や、コントラストの低下をより一層抑制して、さらに画質の高い良好な画像を得ることが可能となる。上記の非偏光性物質からなる透明板の材料としては、ガラス基板、石英基板、アセテートセルロース系フィルム、ポリエステル系フィルム、ポリカーボネートフィルム、ポリサルフォンフィルムの何れかもしくはその組み合わせから成るものを用いることができる。
【００５５】
尚、本実施例の場合も、光源からの光を３原色に分解し、３つの映像出力部２４・２５・２６に入射させる構成の投射型液晶表示装置としているが、これに限定されるものではなく、例えば図１０に示すような構成の投射型液晶表示装置にももちろん、上記した構成の映像出力部を採用することができる。
【００５６】
（実施例３）
本発明の他の実施例を図１１ないし図１３に基づいて説明すれば、以下の通りである。尚、説明の便宜上、前記の実施例と同一の機能を有する部材には同一の符号を付記し、その説明を省略する。
【００５７】
前記の実施例１・実施例２における投射型液晶表示装置の構成の場合、清掃では取り除けない光出射側偏光素子１３ｂにある傷や欠陥等の不良が投射レンズ９によってスクリーン上に結像されてしまい画質を低下させるため、これを阻止するためには、少なくともアクティブマトリクス基板１４ｂの厚みを、図４の斜線部に示される範囲にすることが必要であった。しかしながら、こうして厚みの範囲が決まると、一般に製造されている液晶パネルを使用できないため、コストが割高になる虞れがある。
【００５８】
そこで、本実施例は、液晶パネルのアクティブマトリクス基板に設けられた半導体能動素子にＯＦＦ特性の低下が生じ難く、クロストークの発生や、コントラストの低下を抑制し、画質の高い良好な画像が得られ、かつ、アクティブマトリクス基板の厚みを図４の斜線部に示される範囲にせずとも、光出射側偏光素子にある傷や欠陥等の不良が、スクリーン上に結像されることを防止できる構成を提供するものである。
【００５９】
本実施例に係る投射型液晶表示装置は、図１１に示すように、前記の実施例１の投射型液晶表示装置において配されていた映像出力部１０・１１・１２に換えて、映像出力部３０・３１・３２が各々配されている。
【００６０】
尚、上記の各映像出力部３０・３１・３２においても、前記の実施例１と同様に、駆動信号が異なるだけで各々同様の構成を有しているので、ここでも映像出力部３０の構成のみを説明する。
【００６１】
映像出力部３０は、前記の実施例１の映像出力部１０における液晶パネル部１５に換えて、液晶パネル部２９を備えている。
【００６２】
上記液晶パネル部２９は、図１２に示すように、液晶パネル１４'を備えている。この液晶パネル１４'のアクティブマトリクス基板１４ｂ'及び対向基板１４ａ'の厚みは、図４の斜線部に示される範囲外である。液晶パネル１４'と光出射側偏光素子１３ｂとが、空気層Ａ１を隔てて互いに離間して配されており、液晶パネル１４'におけるアクティブマトリクス基板１４ｂ'の光出射面、及び光出射側偏光素子１３ｂの光入出射両面には、それぞれ減反射コーティング２１が施されている。ここで、上記空気層Ａ１は、液晶パネル１４'の表示絵素電極から、光出射側偏光素子１３ｂが、投射レンズ９の焦点深度以上離間するように、その厚みが設定されている。
【００６３】
このような液晶パネル部２９を備えた映像出力部３０では、液晶パネル１４'におけるアクティブマトリクス基板１４ｂ'の光出射面（アクティブマトリクス基板１４ｂ'と空気層Ａ１との境界面）での内部反射は、アクティブマトリクス基板１４ｂ'に設けられた減反射コーティング２１にて、従来の映像出力部５２（図１９参照）における４％程度からほぼ０％の状態に抑えることができる。また、光出射側偏光素子１３ｂの光入射面（空気層Ａ１と光出射側偏光素子１３ｂとの境界面）での外部反射は、光出射側偏光素子１３ｂの光入射面に設けられた減反射コーティング２１にて、従来の映像出力部５２（図１９参照）における３％程度からほぼ０％の状態に抑えることができる。同様に、光出射側偏光素子１３ｂの光出射面（光出射側偏光素子１３ｂと空気層との境界面）での内部反射も、光出射側偏光素子１３ｂの光出射面に設けられた減反射コーティング２１にて、０％の状態に抑えることができる。したがって、このような構成でも、アクティブマトリクス基板１４ｂ'に形成された半導体能動素子１７にＯＦＦ特性の低下を生じ難くして、クロストークの発生や、コントラストの低下を抑制し、たとえ表示絵素電極の微細な小型高精細の液晶パネルを用いた場合でも、画質の高い良好な画像を得ることが可能となるという前記の実施例１・実施例２と同様の効果を得ることができる。
【００６４】
しかも、上記の映像出力部３０では、液晶パネル１４'の表示絵素電極と、光出射側偏光素子１３ｂとが、空気層Ａ１にて投射レンズ９の焦点深度以上離間しているので、光出射側偏光素子１３ｂに形成されている傷や欠陥等の不良が、投射レンズ９によってスクリーン上に結像することは防止される。
【００６５】
尚、液晶パネル部２９を、前記の実施例１・実施例２に示したように、アクティブマトリクス基板１４ｂ及び対向基板１４ａの厚みが、図４の斜線部に示される範囲内である液晶パネル１４を用いて構成した場合は、液晶パネル部１４の対向基板１４ａの光入射面及びアクティブマトリクス基板１４ｂの光出射面に設けられた減反射コーティング２１表面を清掃せずとも、これら表面についたごみや傷も結像されない構成となる。
【００６６】
また、本実施例の場合も、光源からの光を３原色に分解し、３つの映像出力部３０・３１・３２に入射させる構成の投射型液晶表示装置としているが、これに限定されるものではなく、例えば図１３に示すような構成の投射型液晶表示装置にも、もちろん上記した構成の映像出力部を採用することができる。
【００６７】
（実施例４）
本発明の他の実施例を図１４ないし図１６に基づいて説明すれば、以下の通りである。尚、説明の便宜上、前記の実施例と同一の機能を有する部材には同一の符号を付記し、その説明を省略する。
【００６８】
前記の実施例３の投射型液晶表示装置のように、液晶パネル１４'のアクティブマトリクス基板１４ｂ'の光出射面に直接、減反射コーティング２１を施す構成の場合、以下のような問題が生じる虞れがある。
【００６９】
即ち、液晶パネル１４'におけるアクティブマトリクス基板１４ｂ'の一方面に半導体能動素子１７を形成する前に、他方面に減反射コーティング２１を施すと、半導体能動素子１７の形成時に減反射コーティング２１に傷がつき、スクリーン上にこの傷が結合して画質が劣化する。一方、半導体能動素子１７を形成した後に、他方面に減反射コーティング２１を直接施すと、半導体能動素子１７にダメージを与えたり、静電気破壊（ＥＳＤ）により半導体能動素子１７の不良が起こり、歩留りが低下する。さらに、対向基板１４ａ'と貼着して液晶パネル１４'を完成した後に、減反射コーティング２１を直接、半導体能動素子１７が形成されたアクティブマトリクス基板１４ｂの光出射面に形成すると、液晶パネル１４'に加えることのできる温度に制約があるため、膜質が低下し、良好な特性の減反射コーティング２１を設けることができない。
【００７０】
そこで、本実施例の投射型液晶表示装置では、このような問題を解決して、優れた膜質の傷等のない良好な減反射コーティング２１を高歩留りで施すことを目的としている。
【００７１】
本実施例に係る投射型液晶表示装置は、図１４に示すように、前記の実施例３の投射型液晶表示装置において配されていた映像出力部３０・３１・３２に換えて、映像出力部３６・３７・３８が各々配されている。
【００７２】
尚、上記の各映像出力部３６・３７・３８においても、前記の実施例１と同様に、駆動信号が異なるだけで各々同様の構成を有しているので、ここでも映像出力部３６の構成のみを説明する。
【００７３】
映像出力部３６は、前記の実施例３の映像出力部３０における液晶パネル部２９に換えて、液晶パネル部３５を備えている。
【００７４】
上記液晶パネル部３５は、図１５に示すように、液晶パネル１４'におけるアクティブマトリクス基板１４ｂ'の光出射面に、粘着材２０を介して光出射面に減反射コーティング２１が施された透明板（透明部材）３９が密着されている一方、光入射面及び光出射面に減反射コーティング２１がそれぞれ施されている光出射側偏光素子１３ｂが空気層Ａ２を介して配された構成を有している。尚、透明板３９の材料としては、ガラス基板、石英基板、アセテートセルロース系フィルム、ポリエステル系フィルム、ポリカーボネートフィルム、ポリサルフォンフィルムの何れかもしくはその組み合わせから成るものを用いることができる。
【００７５】
ここでも、上記空気層Ａ２は、液晶パネル１４'の表示絵素電極から、光出射側偏光素子１３ｂが、投射レンズ９の焦点深度以上離間するように、その厚みが設定されている。
【００７６】
このような液晶パネル部３５を備えた映像出力部３６では、液晶パネル１４'におけるアクティブマトリクス基板１４ｂ'の光出射面（アクティブマトリクス基板１４ｂ'と透明板３９との境界面）での内部反射は、液晶パネル１４'のアクティブマトリクス基板１４ｂ'に粘着材２０を介して貼着された、光出射面に減反射コーティング２１を有する透明板３９にて、従来の映像出力部５２（図１９参照）における４％程度からほぼ０％の状態に抑えることができる。また、光出射側偏光素子１３ｂの光入射面（空気層Ａ２と光出射側偏光素子１３ｂとの境界面）での外部反射も、従来の映像出力部５２（図１９参照）における３％程度からほぼ０％の状態に抑えることができる。同様に、光出射側偏光素子１３ｂの光出射面（光出射側偏光素子１３ｂと空気層との境界面）での内部反射も、光出射側偏光素子１３ｂの光出射面に設けられた減反射コーティング２１にて０％の状態に抑えることができる。また、液晶パネル１４'の表示絵素電極と、光出射側偏光素子１３ｂとが、空気層Ａ２にて投射レンズ９の焦点深度以上離間しているので、光出射側偏光素子１３ｂに形成されている傷や欠陥等の不良が、投射レンズ９によってスクリーン上に結像することは防止される。これにより、前記の実施例３と同様の効果を得ることができる。
【００７７】
しかも、上記映像出力部３６の場合、減反射コーティング２１をアクティブマトリクス基板１４ｂ'の光出射面に直接設けるのではなく、減反射コーティング２１が設けられた透明板３９を貼着することで設けているので、直接設ける場合の前述した問題点が解決されて、優れた膜質の傷等のない良好な減反射コーティング２１を高歩留りで施すことが可能である。
【００７８】
また、本実施例の場合も、光源からの光を３原色に分解し、３つの映像出力部３６・３７・３８に入射させる構成の投射型液晶表示装置としているが、これに限定されるものではなく、例えば図１６に示すような構成の投射型液晶表示装置にも、もちろん上記した構成の映像出力部を採用することができる。
【００７９】
（実施例５）
本発明の他の実施例を図１７ないし図１９に基づいて説明すれば、以下の通りである。尚、説明の便宜上、前記の実施例と同一の機能を有する部材には同一の符号を付記し、その説明を省略する。
【００８０】
前記の実施例４の投射型液晶表示装置のように、液晶パネル１４'のアクティブマトリクス基板１４ｂ'の光出射面に粘着材２０を介して透明板３９を貼着する構成では、透明板３９を貼着する際に、アクティブマトリクス基板１４ｂ'に応力を加えることになり、基板対向面に設けられた半導体能動素子１７にダメージを与えたり、セルギャップ（基板間隔）の変化が生じたりする。
【００８１】
そこで、本実施例の投射型液晶表示装置では、このような問題を解決して、アクティブマトリクス基板１４ｂ'に応力を加えることなく、透明板３９を貼り付けることを目的としている。
【００８２】
本実施例に係る投射型液晶表示装置は、図１７に示すように、前記の実施例４の投射型液晶表示装置において配されていた映像出力部３６・３７・３８に換えて、映像出力部４１・４２・４３が各々配されている。
【００８３】
尚、上記の各映像出力部４１・４２・４３においても、前記の実施例１と同様に、駆動信号が異なるだけで各々同様の構成を有しているので、ここでも映像出力部４１の構成のみを説明する。
【００８４】
映像出力部４１は、前記の実施例４の映像出力部３６における液晶パネル部３５に換えて、液晶パネル部４０を備えている。
【００８５】
上記液晶パネル部４０は、図１８に示すように、液晶パネル１４'におけるアクティブマトリクス基板１４ｂ'の光出射面に、液体層５０を介して光出射面に減反射コーティング２１が施された透明板３９が密着されている。液体層５０は、アクティブマトリクス基板１４ｂ'及び透明板３９とほぼ等しい屈折率（約１．５）を有する等方性の液体であり、基板外周部側で漏れないようにシールされている。
【００８６】
このように、減反射コーティング２１が設けられた透明板３９をアクティブマトリクス基板１４ｂ'に粘着材２０を用いて貼着するのではなく、液体層５０を挟んで貼り合わせることで、液体層５０が貼り合わせの際に圧力媒体として働き、均一な応力がアクティブマトリクス基板１４ｂ'にかかるので、粘着材２０を用いて直接貼り付ける場合の前述した問題点が解決されて、アクティブマトリクス基板１４ｂ'に形成された半導体能動素子１７にダメージを与えたり、セルギャップの変化が生じることなく、優れた膜質の傷等のない良好な減反射コーティング２１を施すことが可能となる。これにより、前記の実施例４の投影型表示装置より、さらに画質の向上が図れる。
【００８７】
また、本実施例の場合も、光源からの光を３原色に分解し、３つの映像出力部４１・４２・４３に入射させる構成の投射型液晶表示装置としているが、これに限定されるものではなく、例えば図１９に示すような構成の投射型液晶表示装置にも、もちろん上記した構成の映像出力部を採用することができる。
【００８８】
（実施例６）
本発明の他の実施例を図２０ないし図２５に基づいて説明すれば、以下の通りである。尚、説明の便宜上、前記の実施例と同一の機能を有する部材には同一の符号を付記し、その説明を省略する。
【００８９】
前記の実施例３・実施例４・実施例５の投射型液晶表示装置の場合、一般的な基板厚を有する液晶パネル１４'を用いることはできるが、液晶パネル１４'と光出射側偏光素子１３ｂとは、各々別体からなるため、光源１の光路中に配する際、各々別々に取り付ける必要があり、また、互いの位置合わせや所定の距離離間して配するため、煩雑な作業を強いられる虞れがある。そこで、本実施例は、このような問題点を解決し、さらに組み立て時の作業性を向上させることを目的としている。
【００９０】
本実施例に係る投射型液晶表示装置は、図２０に示すように、前記の実施例３の投射型液晶表示装置において配されていた映像出力部３０・３１・３２に換えて、映像出力部４６・４７・４８が各々配されている。
【００９１】
尚、上記の各映像出力部４６・４７・４８においても、前記の実施例３と同様に、駆動信号が異なるだけで各々同様の構成を有しているので、ここでも映像出力部４６の構成のみを説明する。
【００９２】
映像出力部４６は、前記の実施例３の映像出力部３０における液晶パネル部２９に換えて、液晶パネル部４５を備えている。
【００９３】
上記液晶パネル部４５は、図２１に示すように、液晶パネル１４'におけるアクティブマトリクス基板１４ｂ'の光出射面に、粘着材２０を介して非偏光性の透明物質からなる透明板（透明層）４４が密着されている。そして、この透明板４４の光出射面に、粘着材２０を介して光出射側偏光素子１３ｂが密着され、この光出射側偏光素子１３ｂの空気層と接する光出射面に、減反射コーティング２１が施されている。尚、この場合も、光出射側偏光素子１３ｂの光出射面に直接減反射コーティング２１を施すのではなく、減反射コーティング２１が施されている透明な非偏光性物質を貼着してもよい。また、透明板４４の材料としても、前記の実施例で記載したものを用いることができる。
【００９４】
ここで、上記透明板４４の厚みは、前記の実施例３の空気層Ａ１の厚み設定と同様に、液晶パネル１４'の表示絵素電極から、光出射側偏光素子１３ｂが、投射レンズ９の焦点深度以上離間するように設定されている。
【００９５】
このような液晶パネル部４５を備えた映像出力部４６では、液晶パネル１４'のアクティブマトリクス基板１４ｂ'の光出射面（アクティブマトリクス基板１４ｂ'と透明板４４との境界面）での内部反射は、アクティブマトリクス基板１４ｂ'の光出射面に粘着材２０を介して透明板４４が貼着されているので、従来の映像出力部５２（図１９参照）の４％からほぼ０％の状態に抑えることができる。また、光出射側偏光素子１３ｂの光入射面（透明板４４と光出射側偏光素子１３ｂとの境界面）での外部反射も、光出射側偏光素子１３ｂの光入射面に粘着材２０を介して透明板４４が貼着されているので、従来の映像出力部５２（図１９参照）の３％からほぼ０％の状態に抑えることができる。さらに、光出射側偏光素子１３ｂの光出射面での内部反射は、光出射側偏光素子１３ｂの光出射面に設けられた減反射コーティング２１にてほぼ０％の状態に抑えることができる。
【００９６】
また、光出射側偏光素子１３ｂに形成されている傷や欠陥等の不良は、透明層４４にて、液晶パネル１４'の表示絵素電極から、光出射側偏光素子１３ｂが、投射レンズ９の焦点深度以上離間されているので、投射レンズ９によってスクリーン上に結像することは防止される。これにより、前記の実施例３と同様の効果を得ることができる。
【００９７】
しかも、上記映像出力部４６の場合、液晶パネル１４'と光出射側偏光素子１３ｂとは一体となっているので、前記の実施例３の構成のように、光路中に組み付ける際に、煩雑な作業を強いられることもない。その結果、前記実施例３の構成よりも、作業性を向上できるという効果も併せて得られる。
【００９８】
尚、本実施例においては、透明板４４と光出射側偏光素子１３ｂとを、粘着材２０を介して貼着したが、図２２に示すように、透明板４４と光出射側偏光素子１３ｂと粘着材２０を用いることなく、両者を接合させた液晶パネル部４５'の構成でも同様の効果が得られる。
【００９９】
さらに、前記の実施例５のように、液晶パネル１４'におけるアクティブマトリクス基板１４ｂ'の光出射面に、粘着材２０を介して透明板４４を貼り付けるかわりに、図２３・２４に示す液晶パネル部４９・４９'のように、上記した液体層５０を介して貼り合わせてもよく、それにより、アクティブマトリクス基板１４ｂ'に設けられた半導体能動素子１７にダメージを与える虞れも、セルギャップが変化するおそれもなく、上記した効果が得られる。
【０１００】
また、本実施例の場合も、光源からの光を３原色に分解し、３つの映像出力部４６・４７・４８に入射させる構成の投射型液晶表示装置としているが、これに限定されるものではなく、例えば図２５に示すような構成の投射型液晶表示装置にも、もちろん上記した構成の映像出力部を採用することができる。
【０１０１】
【発明の効果】
本発明の投射型液晶表示装置は、以上のように、半導体能動素子が形成されたアクティブマトリクス基板と対向電極が形成された対向基板との間に液晶層を挟持してなる液晶パネルに、対向基板側から光を照射して、液晶パネルに表示された映像を投射レンズを用いて投射表示する投射型液晶表示装置であって、上記アクティブマトリクス基板の厚みが、厚みｄｍｍ、液晶パネルにおける絵素開口部面積をａμｍ2としたとき、ｄ＞−０．００１６ａ＋１．２６の式を満たすように設計されている構成である。
【０１０２】
これにより、アクティブマトリクス基板の光出射面が投射レンズの焦点深度以上、液晶パネルにおける表示絵素電極から離間されるので、アクティブマトリクス基板の光出射面についたごみや傷が投射レンズによってスクリーン等の上に結像することが防止される。その結果、画質の高い良好な画像を得ることが可能となるという効果を奏する。
【０１０３】
また、本発明の上記投射型液晶表示装置において、さらに、対向基板の厚みも、厚みｄｍｍ、液晶パネルにおける絵素開口部面積をａμｍ2としたとき、ｄ＞−０．００１６ａ＋１．２６の式を満たすように設計されている構成とすることができる。
【０１０４】
これにより、上記液晶パネルにおける対向基板の光入射面も投射レンズの焦点深度以上、液晶パネルにおける表示絵素電極から離間するので、上記構成による効果に加えて、対向基板の光入射面に付着したごみや傷も投射レンズによってスクリーン等の上に結像することが防止され、さらに、画質の高い良好な画像を得ることが可能となる。
【０１０５】
また、本発明の投射型液晶表示装置は、上記投射型液晶表示装置において、上記液晶パネルには、入射光がアクティブマトリクス基板の半導体能動素子に直接当たらないように半導体能動素子を遮光する遮光パターンが形成されると共に、上記液晶パネルの光出射側に空気層を隔てて光出射側偏光素子が配され、かつ、上記アクティブマトリクス基板の光出射面、及び上記光出射側偏光素子の光入出射両面に、減反射コーティングからなる反射防止部が形成されている構成とすることができる。
【０１０６】
これにより、これらの反射防止部にて、アクティブマトリクス基板の光出射面での内部反射、出射側偏光素子の光入射面での外部反射、及び出射側偏光素子の光出射面での内部反射が、確実に低減されるので、液晶パネルのアクティブマトリクス基板に設けられた半導体能動素子にＯＦＦ特性の低下が生じ難くなり、クロストークの発生や、コントラストの低下が抑制され、たとえ表示絵素電極の微細な小型高精細の液晶パネルを用いた場合でも、画質の高い良好な画像を得ることが可能となるという効果を奏する。
【０１０７】
また、光出射側偏光素子は、アクティブマトリクス基板の厚みを上記のように定めることで、アクティブマトリクス基板の光出射面よりもさらに光出射側に配された光出射側偏光素子における傷や欠陥等の不良が投射レンズによってスクリーン等の上に結像することが防止されるのはもちろんであり、より一層画質の高い良好な画像を得ることが可能となる。
【０１０８】
さらに、本発明の投射型液晶表示装置は、以上のように、上記投射型液晶表示装置において、上記液晶パネルにおけるアクティブマトリクス基板に設けられた半導体能動素子が、トップゲート構造の多結晶シリコン薄膜トランジスタである構成である。
【０１０９】
トップゲート構造の多結晶シリコン薄膜トランジスタ半導体能動素子の場合、アクティブマトリクス基板の裏面から見て、チャネル層はゲート電極にて遮光されないので、ボトムゲート構造の多結晶シリコン薄膜トランジスタ半導体能動素子に比べて、アクティブマトリクス基板の光出射面での内部反射や、光出射側偏光素子の光入射面での外部反射、及び光出射側偏光素子の光出射面での内部反射によるＯＦＦ特性低下の影響を受け易かったが、これにより、たとえトップゲート構造の多結晶シリコン薄膜トランジスタ半導体能動素子を用いた場合も、画質の高い良好な画像を得ることが可能となるという効果を奏する。
【図面の簡単な説明】
【図１】本発明の一実施例を示すものであり、投射型液晶表示装置に配された映像出力部における液晶パネル部の要部断面図である。
【図２】上記投射型液晶表示装置の構成図である。
【図３】上記映像出力部における液晶パネルのアクティブマトリクス基板に設けられた半導体能動素子の要部断面図である。
【図４】絵素開口部面積と基板の厚みとの関係を表すグラフである。
【図５】遮光パターンの別の設け方を示す、液晶パネル部の要部断面図である。
【図６】本発明の他の実施例の投射型液晶表示装置の構成図である。
【図７】本発明の他の実施例の投射型液晶表示装置の構成図である。
【図８】図５に示す投射型液晶表示装置に配された映像出力部における液晶パネル部の要部断面図である。
【図９】図６に示す液晶パネル部の他の構成を示す要部断面図である。
【図１０】本発明の他の実施例の投射型液晶表示装置の構成図である。
【図１１】本発明の他の実施例の投射型液晶表示装置の構成図である。
【図１２】図１１に示す投射型液晶表示装置に配された映像出力部における液晶パネル部の要部断面図である。
【図１３】本発明の他の実施例の投射型液晶表示装置の構成図である。
【図１４】本発明の他の実施例の投射型液晶表示装置の構成図である。
【図１５】図１４に示す投射型液晶表示装置に配された映像出力部における液晶パネル部の要部断面図である。
【図１６】本発明の他の実施例の投射型液晶表示装置の構成図である。
【図１７】本発明の他の実施例の投射型液晶表示装置の構成図である。
【図１８】図１７に示す投射型液晶表示装置に配された映像出力部における液晶パネル部の要部断面図である。
【図１９】本発明の他の実施例の投射型液晶表示装置の構成図である。
【図２０】本発明の他の実施例の投射型液晶表示装置の構成図である。
【図２１】図２０に示す投射型液晶表示装置に配された映像出力部における液晶パネル部の要部断面図である。
【図２２】図２１に示す液晶パネル部の他の構成を示す要部断面図である。
【図２３】図２１に示す液晶パネル部の他の構成を示す要部断面図である。
【図２４】図２１に示す液晶パネル部の他の構成を示す要部断面図である。
【図２５】本発明の他の実施例の投射型液晶表示装置の構成図である。
【図２６】従来の投射型液晶表示装置の構成図である。
【図２７】従来の投射型液晶表示装置の構成図である。
【図２８】従来の液晶パネルの要部断面図である。
【図２９】従来の液晶パネルに光出射側偏光素子が貼着された液晶パネル部の要部断面図である。
【図３０】従来の投射型液晶表示装置の構成図である。
【図３１】従来の投射型液晶表示装置の構成図である。
【符号の説明】
１                光源
９                投射レンズ
１０〜１２        映像出力部
１３ａ            光入射側偏光素子
１３ｂ            光出射側偏光素子
１４・１４'      液晶パネル
１４ａ・１４ａ'  対向基板
１４ｂ・１４ｂ'  アクティブマトリクス基板
１５              液晶パネル部
１７              半導体能動素子
１８              遮光パターン
２１              減反射コーティング（反射防止部、反射防止膜）
２３              液晶パネル部
２４〜２６        映像出力部
２７              １／２波長板
２９              液晶パネル部
３０〜３２        映像出力部
３５              液晶パネル部
３６〜３８        映像出力部
３９              透明板（透明部材）
４０              液晶パネル部
４０'            液晶パネル部
４１〜４３        映像出力部
４４              透明板（透明層）
４５              液晶パネル部
４５'            液晶パネル部
４６〜４８        映像出力部
４９              液晶パネル部
４９'            液晶パネル部
５０              液体層
【図１】
0003664309.tif 000002
【図２】
0003664309.tif 000003
【図３】
0003664309.tif 000004
【図４】
0003664309.tif 000005
【図５】
0003664309.tif 000006
【図６】
0003664309.tif 000007
【図７】
0003664309.tif 000008
【図８】
0003664309.tif 000009
【図９】
0003664309.tif 000010
【図１０】
0003664309.tif 000011
【図１１】
0003664309.tif 000012
【図１２】
0003664309.tif 000013
【図１３】
0003664309.tif 000014
【図１４】
0003664309.tif 000015
【図１５】
0003664309.tif 000016
【図１６】
0003664309.tif 000017
【図１７】
0003664309.tif 000018
【図１８】
0003664309.tif 000019
【図１９】
0003664309.tif 000020
【図２０】
0003664309.tif 000021
【図２１】
0003664309.tif 000022
【図２２】
0003664309.tif 000023
【図２３】
0003664309.tif 000024
【図２４】
0003664309.tif 000025
【図２５】
0003664309.tif 000026
【図２６】
0003664309.tif 000027
【図２７】
0003664309.tif 000028
【図２８】
0003664309.tif 000029
【図２９】
0003664309.tif 000030
【図３０】
0003664309.tif 000031
【図３１】
0003664309.tif 000032